【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
印刷対象の画像をディスクメディアに印刷することが可能な印刷装置であって、
端末装置から前記印刷対象の画像を受信する受信手段と、
前記受信された前記印刷対象の画像が、前記ディスクメディアの形状に応じた処理が前記端末装置によって実行されていない画像であった場合、前記受信された前記印刷対象の画像に前記ディスクメディアの形状に応じた処理を実行する実行手段と、
前記受信された前記印刷対象の画像が、前記ディスクメディアの形状に応じた処理が前記端末装置によって実行されていない画像であった場合、前記実行手段により前記ディスクメディアの形状に応じた処理が実行された前記印刷対象の画像を、前記ディスクメディアに印刷し、前記受信された前記印刷対象の画像が、前記ディスクメディアの形状に応じた処理が前記端末装置によって実行されている画像であった場合、前記受信された前記印刷対象の画像を、前記ディスクメディアに印刷する印刷手段と、
を有することを特徴とする印刷装置。
【請求項２】
前記受信された前記印刷対象の画像が、前記ディスクメディアの形状に応じた処理が実行されているか否かを判定するための判定処理を実行する判定手段と、をさらに有し、
前記判定処理の判定結果が、前記受信された前記印刷対象の画像が、前記ディスクメディアの形状に応じた処理が実行されていないことに対応する場合、前記受信された前記印刷対象の画像に前記ディスクメディアの形状に応じた処理が実行されることを特徴とする請求項１に記載の印刷装置。
【請求項３】
前記判定手段は、前記ディスクメディアの形状に応じた処理が実行されていることに対応する所定の情報が前記印刷対象の画像に付加されているか否かを判定することにより、前記判定処理を実行することを特徴とする請求項２に記載の印刷装置。
【請求項４】
前記印刷対象の画像はＪＰＥＧファイルであり、
前記判定手段は、前記ＪＰＥＧファイルのＥＸＩＦ情報の中に、前記所定の情報が含まれているか否かを判定することにより、前記判定処理を実行することを特徴とする請求項３に記載の印刷装置。
【請求項５】
前記判定手段は、前記印刷対象の画像のうちの印刷が行われない領域の画素値を解析することにより、前記判定処理を実行することを特徴とする請求項２に記載の印刷装置。
【請求項６】
前記ディスクメディアの形状に応じた処理は、前記印刷装置にセットされた前記ディスクメディアからはみ出た領域に印刷が行われないように制御するための処理であることを特徴とする請求項１乃至５のいずれか１項に記載の印刷装置。
【請求項７】
前記ディスクメディアの形状に応じた処理は、前記印刷対象の画像の印刷において、前記ディスクメディアの形状の領域に印刷が行われ、前記ディスクメディアの形状の領域以外の領域に印刷が行われないように制御するための処理であることを特徴とする請求項１乃至６のいずれか１項に記載の印刷装置。
【請求項８】
前記ディスクメディアの形状に応じた処理は、前記印刷対象の画像のうちの印刷が行われない領域に対応する画素値を、前記印刷手段により印刷が行われないことを示す所定の画素値に書き換えるマスク処理であることを特徴とする請求項１乃至７のいずれか１項に記載の印刷装置。
【請求項９】
前記所定の画素値は白に相当する画素値であることを特徴とする請求項８に記載の印刷装置。
【請求項１０】
前記受信された前記印刷対象の画像が、前記ディスクメディアの形状に応じた処理が実行されている画像であった場合、前記実行手段により前記受信された前記印刷対象の画像に前記ディスクメディアの形状に応じた処理が実行されることなく、前記受信された前記印刷対象の画像が、前記ディスクメディアに印刷されることを特徴とする請求項１乃至９のいずれか１項に記載の印刷装置。
【請求項１１】
プリンタドライバが用いられて送信された前記印刷対象の画像には、前記ディスクメディアの形状に応じた処理が実行されており、
プリンタドライバが用いられずに送信された前記印刷対象の画像には、前記ディスクメディアの形状に応じた処理が実行されていないことを特徴とする請求項１乃至９のいずれか１項に記載の印刷装置。
【請求項１２】
ＯＳ標準の印刷方式が用いられて送信された前記印刷対象の画像には、前記ディスクメディアの形状に応じた処理が実行されていないことを特徴とする請求項１乃至９のいずれか１項に記載の印刷装置。
【請求項１３】
前記印刷対象の画像を前記ディスクメディアに対して印刷することを示す情報が、前記端末装置から受信されることを特徴とする請求項１乃至６のいずれか１項に記載の印刷装置。
【請求項１４】
前記端末装置に、前記ディスクメディアに対する印刷が可能なことを示す情報を送信する送信手段をさらに有することを特徴とする請求項１乃至１３のいずれか１項に記載の印刷装置。
【請求項１５】
前記ディスクメディアは、ＣＤ又はＤＶＤであることを特徴とする請求項１乃至６のいずれか１項に記載の印刷装置。
【請求項１６】
印刷対象の画像を、ディスクメディアに印刷することが可能な印刷装置であって、
端末装置から前記印刷対象の画像を受信する受信手段と、
前記受信された前記印刷対象の画像が、プリンタドライバが用いられて前記端末装置から送信された画像であった場合、前記受信された前記印刷対象の画像に前記ディスクメディアの形状に応じた処理を実行する実行手段と、
前記受信された前記印刷対象の画像が、前記プリンタドライバが用いられて前記端末装置から送信された画像であった場合、前記実行手段により前記ディスクメディアの形状に応じた処理が実行された前記印刷対象の画像を、前記ディスクメディアに印刷し、前記受信された前記印刷対象の画像が、前記プリンタドライバが用いられずに前記端末装置から送信された画像であった場合、前記受信された前記印刷対象の画像を、前記ディスクメディアに印刷する印刷手段と、
を有することを特徴とする印刷装置。
【請求項１７】
前記ディスクメディアの形状に応じた処理は、前記印刷装置にセットされた前記ディスクメディアからはみ出た領域に印刷が行われないように制御するための処理であることを特徴とする請求項１６に記載の印刷装置。
【請求項１８】
前記ディスクメディアの形状に応じた処理は、前記印刷対象の画像の印刷において、前記ディスクメディアの形状の領域に印刷が行われ、前記ディスクメディアの形状の領域以外の領域に印刷が行われないように制御するための処理であることを特徴とする請求項１６又は１７に記載の印刷装置。
【請求項１９】
前記ディスクメディアの形状に応じた処理は、前記印刷対象の画像のうちの印刷が行われない領域に対応する画素値を、前記印刷手段により印刷が行われないことを示す所定の画素値に書き換えるマスク処理であることを特徴とする請求項１６乃至１８のいずれか１項に記載の印刷装置。
【請求項２０】
前記所定の画素値は白に相当する画素値であることを特徴とする請求項１９に記載の印刷装置。
【請求項２１】
前記受信された前記印刷対象の画像が、前記ディスクメディアの形状に応じた処理が実行されている画像であった場合、前記実行手段により前記受信された前記印刷対象の画像に前記ディスクメディアの形状に応じた処理が実行されることなく、前記受信された前記印刷対象の画像が、前記ディスクメディアに印刷されることを特徴とする請求項１６乃至２０のいずれか１項に記載の印刷装置。
【請求項２２】
前記プリンタドライバが用いられて送信された前記印刷対象の画像には、前記ディスクメディアの形状に応じた処理が実行されており、
前記プリンタドライバが用いられずに送信された前記印刷対象の画像には、前記ディスクメディアの形状に応じた処理が実行されていないことを特徴とする請求項１６乃至２１のいずれか１項に記載の印刷装置。
【請求項２３】
ＯＳ標準の印刷方式が用いられて送信された前記印刷対象の画像には、前記ディスクメディアの形状に応じた処理が実行されていないことを特徴とする請求項１６乃至２２のいずれか１項に記載の印刷装置。
【請求項２４】
前記印刷対象の画像を前記ディスクメディアに対して印刷することを示す情報が、前記端末装置から受信されることを特徴とする請求項１６乃至２３のいずれか１項に記載の印刷装置。
【請求項２５】
前記端末装置に、前記ディスクメディアに対する印刷が可能なことを示す情報を送信する送信手段をさらに有することを特徴とする請求項１６乃至２４のいずれか１項に記載の印刷装置。
【請求項２６】
前記ディスクメディアは、ＣＤ又はＤＶＤであることを特徴とする請求項１６乃至２５のいずれか１項に記載の印刷装置。
【請求項２７】
印刷対象の画像をディスクメディアに印刷することが可能な印刷装置の制御方法であって、
前記印刷装置と接続している端末装置から前記印刷対象の画像を受信する受信工程と、
前記受信された前記印刷対象の画像が、前記ディスクメディアの形状に応じた処理が前記端末装置によって実行されていない画像であった場合、前記受信された前記印刷対象の画像に前記ディスクメディアの形状に応じた処理を実行する実行工程と、
前記受信された前記印刷対象の画像が、前記ディスクメディアの形状に応じた処理が前記端末装置によって実行されていない画像であった場合、前記実行工程により前記ディスクメディアの形状に応じた処理が実行された前記印刷対象の画像を、前記ディスクメディアに印刷し、前記受信された前記印刷対象の画像が、前記ディスクメディアの形状に応じた処理が前記端末装置によって実行されている画像であった場合、前記受信された前記印刷対象の画像を、前記ディスクメディアに印刷する印刷工程と、
を有することを特徴とする制御方法。
【請求項２８】
印刷対象の画像を、ディスクメディアに印刷することが可能な印刷装置の制御方法であって、
端末装置から前記印刷対象の画像を無線通信によって受信する受信工程と、
前記受信された前記印刷対象の画像が、プリンタドライバが用いられて前記端末装置から送信された画像であった場合、前記受信された前記印刷対象の画像に前記ディスクメディアの形状に応じた処理を実行する実行工程と、
前記受信された前記印刷対象の画像が、前記プリンタドライバが用いられて前記端末装置から送信された画像であった場合、前記実行工程により前記ディスクメディアの形状に応じた処理が実行された前記印刷対象の画像を、前記ディスクメディアに印刷し、前記受信された前記印刷対象の画像が、前記プリンタドライバが用いられずに前記端末装置から送信された画像であった場合、前記受信された前記印刷対象の画像を、前記ディスクメディアに印刷する印刷工程と、
を有することを特徴とする制御方法。
【請求項２９】
コンピュータを、請求項１乃至２６のいずれか１項に記載の印刷装置の各手段として機能させるためのプログラム。
【手続補正２】
【補正対象書類名】明細書
【補正対象項目名】発明の名称
【補正方法】変更
【補正の内容】
【発明の名称】印刷装置、制御方法、およびプログラム
【手続補正３】
【補正対象書類名】明細書
【補正対象項目名】０００９
【補正方法】変更
【補正の内容】
【０００９】
上記の課題を解決するための本発明の印刷装置は、印刷対象の画像をディスクメディアに印刷することが可能な印刷装置であって、端末装置から前記印刷対象の画像を受信する受信手段と、前記受信された前記印刷対象の画像が、前記ディスクメディアの形状に応じた処理が前記端末装置によって実行されていない画像であった場合、前記受信された前記印刷対象の画像に前記ディスクメディアの形状に応じた処理を実行する実行手段と、
前記受信された前記印刷対象の画像が、前記ディスクメディアの形状に応じた処理が前記端末装置によって実行されていない画像であった場合、前記実行手段により前記ディスクメディアの形状に応じた処理が実行された前記印刷対象の画像を、前記ディスクメディアに印刷し、前記受信された前記印刷対象の画像が、前記ディスクメディアの形状に応じた処理が前記端末装置によって実行されている画像であった場合、前記受信された前記印刷対象の画像を、前記ディスクメディアに印刷する印刷手段と、を有することを特徴とする。